(57)【要約】  本発明は、生分解性材料からなるコアを有する創傷閉鎖材料であって、生分解性材料からなるコアの少なくとも一方の側、好ましくは２つの側が、少なくとも１つ、好ましくは多数の接着剤の分離したスポットを備える、創傷閉鎖材料に関する。創傷の上に適用される縫合糸、クリップおよびテープのようなより一般的な創傷閉鎖技術と同様に、新たな組織が創傷端縁間の間隙を閉鎖しなければならない。本発明の創傷閉鎖材料の使用は、端縁間の物理的な接続が安定しているという利点を有するだけでなく、材料が新たな組織のための足場の働きをする。本発明の創傷閉鎖材料はまた、細胞に対して細胞が付着可能な人工的な細胞外基質として機能することもできる。
2013518636.tif 000002
【特許請求の範囲】
【請求項１】
生分解性材料からなるコアを有する創傷閉鎖材料であって、前記生分解性材料からなるコアの少なくとも一方の側、好ましくは２つの側が、少なくとも１つ、好ましくは多数の接着剤の分離したスポットを備え、前記生分解性材料からなるコアは連続気泡構造を含む、創傷閉鎖材料。
【請求項２】
前記生分解性材料からなるコアの少なくとも２つの対向する側が、少なくとも１つ、好ましくは多数の接着剤の分離したスポットを備える、請求項１に記載の創傷閉鎖材料。
【請求項３】
前記生分解性材料からなるコアは、開放孔を有するポリウレタンフォームおよび／または網目状の不織材料、好ましくはシリカゲル繊維フリースを少なくとも含む、請求項１または２に記載の創傷閉鎖材料。
【請求項４】
前記生分解性材料からなるコアは、面積が測定された材料として、好ましくはパッド、テープ、ストリップまたは多角形のシートとして、最も好ましくは長方形または円形のシートの形態で設けられる、請求項１から３のいずれかに記載の創傷閉鎖材料。
【請求項５】
前記接着剤の分離したスポットは、線、点として、または、多角形もしくは円形の形状で設けられる、請求項１から４のいずれかに記載の創傷閉鎖材料。
【請求項６】
前記分離したスポットは、０．５ｍｍ〜５ｍｍ、好ましくは０．６ｍｍ〜２．５ｍｍの寸法を有する、請求項１から５のいずれかに記載の創傷閉鎖材料。
【請求項７】
前記分離したスポットは各々、０．２ｍｍ2〜２０ｍｍ2、好ましくは０．５ｍｍ2〜５ｍｍ2の表面を有する、請求項１から６のいずれかに記載の創傷閉鎖材料。
【請求項８】
前記接着剤の分離したスポットは、前記生分解性材料からなるコアの前記少なくとも一方の側の領域全体にわたって均一に広がっている、請求項１から７のいずれかに記載の創傷閉鎖材料。
【請求項９】
前記生分解性材料からなるコアの前記少なくとも一方の側の少なくとも３０％、好ましくは少なくとも６０％、最も好ましくは少なくとも９０％が、前記接着剤の分離したスポットによって被覆されていない、請求項８に記載の創傷閉鎖材料。
【請求項１０】
接着剤のスポットの前記接着剤の、ヒト組織に対する接着強度は、０．０４〜６ＭＰａ、好ましくは０．１〜１ＭＰａである、請求項１から９のいずれかに記載の創傷閉鎖材料。
【請求項１１】
前記接着剤は、好ましくはイソシアネート終端ポリエステルポリオールプレポリマーまたはイソシアネート終端ポリエーテルポリオールプレポリマーからなる湿気硬化形ポリウレタン、感圧接着剤、多糖類を主成分とする接着剤、および／または、水によって活性化されるポリマーを主成分とする接着剤を含む、請求項１から１０のいずれかに記載の創傷閉鎖材料。
【請求項１２】
前記接着剤は、ムール貝、両生類などの生物源からの接着剤、または、最も好ましくはアドヘシンの形態の微生物からの接着剤、ならびに／または、純粋な生物材料の代わりに用いられてもよい、たとえばアクリレートである合成骨格およびたとえばポリペプチドである生体模倣接着部位からなるハイブリッド接着剤を少なくとも含む、請求項１から１０のいずれかに記載の創傷閉鎖材料。
【請求項１３】
接着剤の少なくとも１つのスポットを備えた前記生分解性材料からなるコアの前記少なくとも一方の側は、好ましくは剥離可能ライナーによって使用前に環境から保護される、請求項１から１２のいずれかに記載の創傷閉鎖材料。
【請求項１４】
創傷閉鎖材料の生成方法であって、
（ａ）  連続気泡構造を有する生分解性材料からなるコアを設けるステップと、
（ｂ）  好ましくはスクリーン印刷によって多数の接着剤のスポットを前記生分解性材料からなるコアの少なくとも一方の側に施すステップとを備える、方法。
【請求項１５】
創傷を閉鎖する方法であって、
（ａ）  接着剤の少なくとも１つの分離したスポットを備えた少なくとも２つの対向する側が少なくとも２つの創傷端縁に面しているように、請求項１から１６のいずれかに係る創傷閉鎖材料を創傷に貼り付けるステップと、
（ｂ）  前記少なくとも２つの創傷端縁を、前記端縁間の前記創傷閉鎖材料とともに押圧するステップと、
（ｃ）  前記創傷端縁が前記創傷閉鎖材料に付着するように前記接着剤を硬化させるステップとを備える、方法。
【請求項１６】
創傷を閉鎖するための請求項１から１３のいずれかに記載の創傷閉鎖材料の使用。
【請求項１７】
前記創傷は手術後に閉鎖される、請求項１６に記載の使用。
【発明の詳細な説明】
【技術分野】
【０００１】
本発明は、少なくとも１つであるが好ましくは多数の接着剤のスポットを少なくとも一方の側に備えた生分解性材料からなるコアを有する創傷閉鎖材料、このような創傷閉鎖材料の生成方法、このような創傷閉鎖材料の使用、および創傷を閉鎖する方法に関する。閉鎖材料は生分解性であるので、一旦創傷の治癒が完了すると、材料を除去する必要なく創傷を閉鎖することができる。
【背景技術】
【０００２】
小さな創傷は、単に、創傷の上に絆創膏またはガーゼなどの創傷カバーを貼り付けることによって保護することができる。そして、自然な創傷閉鎖メカニズムによって創傷の閉鎖が起こる。怪我または外科的介入から生じるより大きな創傷は、閉鎖しなければならず、創傷端縁を物理的に結合しなければならない。伝統的に、これは古典的な外科用縫合糸によって行なわれている。別の可能性は、縫合クリップを用いるというものである。縫合糸もクリップも生分解性材料でできていてもよく、したがって、創傷の治癒の完了後にそれらを除去する必要がない。別の選択肢は、創傷の上に貼り付けられた強い接着テープを用いて創傷端縁を結合するというものである。
【０００３】
医学の歴史を通して、創傷閉鎖材料として異なる接着材料がテストされてきた。初期の頃は、樹脂または異なる動物、植物および鉱物材料の混合物などの薬草接着剤を用いて創傷端縁を貼り合わせる試みがなされた。
【０００４】
今日、運輸や建築などの大半の技術分野において接着剤の重要性が高まっているが、医学で用いられる接着剤は非常に少ない。すべての医療用接着剤のうちほぼ９０％が、パッチ、創傷包帯剤の形態でまたは構造的な歯科用接着剤および充填物として、局所塗布で用いられている。
【０００５】
定義によれば、局所組織は、外界に晒され、それらの水分含有量が周囲湿度と相関関係があるように「乾燥して」いる。局所組織の細胞はしばしば、もはや代謝作用を持っていないという意味で「死んでいる」。局所塗布用接着剤は、それらのそれぞれの目的に適合するように接着強度を有する必要がある。さらに、局所塗布用接着剤は、汗または皮脂のようないくつかの体液に対処しなければならない。さらに、局所塗布用接着剤は、有毒な化学物質または身体の治癒プロセスと干渉し得る化学物質を放出してはならない。
【０００６】
身体内で用いられる接着剤は、ほぼ完全に流体の環境に対処しなければならない。なぜなら、結合すべき表面が血液および他の体液に浸漬されるためである。このような接着剤の用途がこれまで提案されてきたが、さらに詳しく調査すると、このような接着剤の用途は不十分であり、アルキルシアノアクリレートまたはフィブリンなどのごくわずかなシステムに限定される。
【発明の概要】
【発明が解決しようとする課題】
【０００７】
フィブリン技術に基づく接着剤は、妥当な生体適合性を示すが、接着強度が低い。これは、大半の耐荷重性の用途、たとえば張力が生じ得る創傷でそれらの接着剤を用いることを禁止する。さらに、それらの接着剤は非常に高価である。なぜなら、微生物学的汚染物質またはアレルギー誘発性汚染物質を回避するためにそれらの生物起源が大規模な浄化を必要とするためである。
【０００８】
シアノアクリレートベースの接着剤は、自然治癒プロセスと強く干渉することが報告されている。さらに、これらの製剤のうちのいくつかの分解生成物に関して毒物学的な問題が存在する。
【０００９】
たとえばポリウレタンまたはエポキシ樹脂に基づく他の接着剤は、硬化時に過剰な熱の生成を示し、これは、創傷の治癒に悪影響を及ぼし、組織壊死に繋がることさえあり得る。
【００１０】
公知のシステムの別の欠点は、組織の大きな領域にわたって接着剤を塗布しなければならず、その結果、接着剤がその後、創傷内での新たな組織の成長を妨げる障壁として機能し、したがって、治癒プロセスと非常に干渉するということである。
【課題を解決するための手段】
【００１１】
本発明の目的は、先行技術から公知である不利な点を回避し、創傷の治癒に対して有益な効果を示す創傷充填材料を提供することである。この目的は、請求項１に係る創傷閉鎖材料で達成される。
【００１２】
本発明に係る創傷閉鎖材料は、連続気泡構造を含む生分解性材料からなるコアを有する。上記生分解性材料からなるコアの少なくとも一方の側であるが好ましくは２つの側は、少なくとも１つであるが好ましくは多数の接着剤の分離したスポットを備える。
【００１３】
本明細書において理解される生分解性材料とは、時間が経つにつれて完全に分解されて身体によって再吸収される材料を意味している。この分解は、加水分解、酸化または酵素切断に起因し得る。生分解性材料もその分解物も、塗布部位に生じ得る濃度がより高い状態でさえ、有機体に対して有毒であってはならない、ということが理解される。さらに、このような材料はまた、好ましくはアレルギー誘発性であってはならない。生分解性材料の使用は、創傷閉鎖材料を除去する必要がなく、創傷閉鎖材料が次第に新たな組織に取って代わられるという利点を有する。
【００１４】
創傷閉鎖材料のコアの少なくとも一方の側は、少なくとも１つであるが好ましくは多数の接着剤の分離したスポットを備える。好ましくは、コアの少なくとも２つの対向する側が、少なくとも１つであるが好ましくは多数の接着剤の分離したスポットを備える。
【００１５】
本明細書において理解されるスポットとは、その形状または位置に関して如何なる制約も持たない有限の寸法の小さな領域である。したがって、多数の分離したスポットは、互いに直接の関係がないいくつかのスポットを意味するものと理解される。
【００１６】
生分解性材料からなるコアの少なくとも一方の側に少なくとも１つであるが好ましくは多数の接着剤の分離したスポットを有することは、接着剤が少なくとも一方の側の表面全体を被覆せず、したがって、コアの表面上および／またはコアの表面内に細胞が直接成長するための空間を残すという利点を有する。これにより、コアの分解およびコアへの新たな組織細胞の内方成長が容易になる。
【００１７】
スポットを施すために用いられる接着剤は、生体適合性でありかつ非毒性でなければならない。好ましくは、接着剤は生分解性でもある。最も好ましくは、接着剤の分解速度は、コアに用いられる生分解性材料の分解速度よりも遅い。
【００１８】
コアの少なくとも一方の側に接着剤を有することにより、創傷におよび／または創傷端縁間に創傷閉鎖材料を取付けることが可能になる。
【００１９】
生分解性材料からなるコアは、連続気泡構造を含む。連続気泡とは、互いに流体連通する材料内の空隙であると理解される。これらの気泡は、たとえば孔、チャネルなどであってもよい。これは、コアを体液で湿らせることができ、組織細胞が上記孔で成長することができ、したがって、次第にコアの材料が新たな組織と取って代わるという利点を有する。これは、創傷治癒速度に対して非常に有益な効果がある。
【００２０】
本発明の好ましい実施の形態では、生分解性材料からなるコアの少なくとも２つの対向する側が、少なくとも１つであるが好ましくは多数の接着剤の分離したスポットを備える。これは、まず創傷の第１の端縁をコアの第１の側に接着し、次いでその後、創傷の第２の端縁をコアの反対側に接着し、それによって創傷をしっかりと閉鎖することによって創傷を閉鎖するために材料を用いることができるという利点を有する。コアの２つ以上の側または３つ以上の側が少なくとも１つまたは多数の分離した接着剤のスポットを備えていてもよい、ということが理解される。
【００２１】
創傷の上に適用される縫合糸、クリップおよびテープのようなより「古典的な」創傷閉鎖技術では、新たな組織が創傷端縁間の間隙を閉鎖しなければならない。本発明の創傷閉鎖材料の使用は、端縁間の物理的な接続が安定しているという利点を有するだけでなく、材料が新たな組織のための足場の働きをする。本発明の創傷閉鎖材料はまた、細胞に対して細胞が付着可能な人工的な細胞外基質として機能することもできる。
【００２２】
好ましくは、生分解性材料からなるコアは、開放孔を有するポリウレタンフォームを少なくとも含む。生分解性ポリウレタンフォームは、当該技術分野において公知である。本発明で用いられる特に好適なポリウレタンフォームは、たとえば、全文が引用によって本明細書に援用される欧州特許出願ＥＰ  ０９１６７０４３．０号に記載されている。フォームの孔は好ましくは、１００μｍ〜４００μｍ、最も好ましくは１００μｍ〜２５０μｍの範囲の最大直径を有する。または、コアは、網目状の不織材料、好ましくはシリカゲル繊維フリースを含んでいてもよい。本明細書において理解されるように、不織材料は、化学的処理、機械的処理、熱処理または溶媒処理によって結合された、長繊維でできた織物状材料である。生分解性不織材料は、当該技術分野において公知である。特に好ましくは、シリカゲルでできた繊維フリースが用いられる。このようなフリースは、多数の連続気泡を有しており、創傷閉鎖材料として用いるのに十分な強度を示しながら身体内でゆっくりと分解される。
【００２３】
一般に、コア材料の生分解速度は、細胞の内方成長および新たな組織の形成に役立つように１〜４週間の範囲であるべきである。創傷閉鎖材料が用いられる組織および創傷の状態に従って分解速度を選択すべきである。
【００２４】
生分解性材料からなるコアは好ましくは、面積が測定された材料として、好ましくはパッド、テープ、ストリップまたは多角形のシートとして、最も好ましくは長方形または円形のシートの形態で設けられる。これは、創傷端縁を貼り合わせるために創傷閉鎖材料を用いることができるという利点を提供する。さらに、このような形状は、医療関係者によって容易に切断されて任意の創傷の大きさおよび形状に適合させることができる。特に好ましいのは、使用前に適切な長さに切断できるテープロールの形態のコアである。このようなテープは、異なる幅および厚みで設けられてもよい。
【００２５】
分離した接着剤のスポットは好ましくは、コアの少なくとも一方の側に、線、点として、または、多角形もしくは円形の形状で設けられる。接着剤は、コアの少なくとも一方の側に異なる長さおよび幅の線として設けられてもよい。または、接着剤は、点として設けられてもよい。このような点は、一般に円形の形状を有し、異なる直径を有していてもよい。または、スポットは、任意の円形または多角形の形状で設けられてもよい。これは、任意の好適な寸法の長方形、台形、三角形、円形および楕円形の形状を含む。スポットはすべて、少なくとも一方の側に同じ形状で設けられてもよい。または、スポットは、異なる形状で設けられてもよい。少なくとも一方の側に設けられた形状はすべて、同じ寸法および／または表面積を有していてもよい。または、形状は、異なる寸法および／または表面積を有していてもよい。
【００２６】
好ましくは、分離したスポットは、第１の近似において、０．５ｍｍ〜５ｍｍ、好ましくは０．６ｍｍ〜２．５ｍｍの直径を有する円形形状を有する。一方の側当たりのスポットの数は、接着剤によってコーティングされない領域を最大化しながら、同時に創傷の閉鎖を安定させる、すなわち創傷に影響を及ぼす外力に抵抗するのに十分な接着強度を提供するように選択される。これにより、最大の非閉塞の組織における新たな細胞の成長を確実にする。
【００２７】
分離したスポットは各々、０．２ｍｍ2〜２０ｍｍ2、好ましくは０．５ｍｍ2〜５ｍｍ2の表面を有していてもよい。この面積の表面を有するスポットは、十分な接着強度を有するが、被覆される表面が大きくなりすぎないように依然として十分に小さい。
【００２８】
好ましくは、分離した接着剤のスポットは、生分解性材料からなるコアの少なくとも一方の側の領域全体にわたって均一に広がっている。これにより、コアの側の表面全体に引張応力を最適に分散させることができる。さらに、これにより、創傷充填材料を創傷端縁に最適に接着することができ、これは、コアへの細胞の内方成長に対して有益な効果を有する。
【００２９】
さらに、生分解性材料からなるコアの少なくとも一方の側の少なくとも３０％、好ましくは少なくとも６０％、最も好ましくは少なくとも９０％が、接着剤の分離したスポットによって被覆されていない。これにより、生分解性材料からなるコア上および／または生分解性材料からなるコア内への細胞の最適な成長が可能になる。接着剤で被覆されている側部の表面が多過ぎると、生分解性材料からなるコア上および／または生分解性材料からなるコア内に組織細胞が成長することが妨げられる。接着剤で被覆されている表面の量が少な過ぎると、創傷端縁への創傷閉鎖材料の接着が弱くなってしまう。
【００３０】
好ましくは、接着剤のスポットは、生分解性材料からなるコアの少なくとも一方の側に規則的なパターンで設けられる。一例として、すべてのスポットが、それらの隣接するスポットから規則的に間隔をおいて配置されるように設けられてもよい。または、スポットは、側部で幾何学的なパターンを概して規定するように設けられてもよい。または、接着剤のスポットは、生分解性材料からなるコアの少なくとも一方の側にランダムなパターンで設けられる。
【００３１】
接着剤のスポットの接着剤の接着強度は、０．０５〜２０ＭＰａ、好ましくは０．１〜１０ＭＰａであるべきである。接続組織、たとえば皮膚の典型的な引張り強度は、０．０１〜８ＭＰａの範囲内である。接着剤の点状のパターンは、全表面と表面内のスポットの表面の合計との比率によって総接着力を減少させる、ということを考慮に入れておかなければならない。
【００３２】
好ましくは、接着剤は、湿気硬化形ポリウレタンを含む。湿気硬化形ポリウレタンは好ましくは、イソシアネート終端ポリエステルポリオールプレポリマーまたはイソシアネート終端ポリエーテルポリオールプレポリマーからなる。さらに、接着剤は、感圧接着剤も含んでいてもよい。好ましくは、感圧接着剤は、湿潤環境において粘着性が増大する。このような接着剤は、当該技術分野において公知である。ＵＳ２００６／２１１８０８は、湿潤粘着性が改良された感圧接着剤の組成を例示的に記載している。さらに、接着剤は、アルギン酸塩、ペクチン、多糖類樹脂および他の類似の系統などの多糖類を主成分としてもよく、アラビアゴム、ポリビニルピロリデン、ポリビニルアルコールおよび他の類似の系統などの水によって活性化されるポリマーを主成分としてもよい。
【００３３】
または、接着剤は、ムール貝および／または両生類のような水生動物などの生物源からの接着剤を少なくとも含む。生物学的接着剤は、大半が、他の材料に対する生物組織の接着が優れているように適合されたペプチドベースの接着材料である。それによって、水生動物からの生物学的接着剤が特に好ましい。なぜなら、それらの接着剤が流体環境に特によく適合するためである。代替的にまたはさらに、接着剤は、微生物からの接着タンパク質、いわゆるアドヘシンも含んでいてもよい。アドヘシンは、微生物を宿主細胞に付着させるために微生物によって用いられ、したがって、創傷などの環境において優れた接着品質を示す。または、フィブリンなどのより「古典的な」生物学的接着剤が用いられてもよい。本発明の創傷閉鎖材料の１つの利点は、接着剤をスポットとして塗布することによって必要な接着剤の量が大幅に減少することである。これは材料コストの削減に繋がる。なぜなら、生物学的接着剤の生産および／または分離はかなり高価である傾向があるためである。
【００３４】
または、たとえばアクリレートである合成骨格およびたとえばポリペプチドである生体模倣接着部位からなるハイブリッド接着剤も、純粋な生物学的材料の代わりに用いられてもよい。
【００３５】
好ましくは、接着剤の少なくとも１つのスポットを備えた生分解性材料からなるコアの少なくとも一方の側は、好ましくは剥離可能ライナーによって使用前に環境から保護される。特に、たとえば湿気硬化形ポリウレタンが用いられる場合に、大気と接触したときに接着剤が時期尚早に硬化するリスクがある場合には、接着剤のスポットを担持しているコアの側を保護しなければならない。剥離可能ライナーの使用は、創傷閉鎖材料から保護物を順次除去することができ、したがって、用いられているもの以外の領域の接着剤のスポットを守るという利点を提供する。または、創傷閉鎖材料は、保護ケース、パウチなどによっても環境から保護されてもよい。
【００３６】
本発明の別の目的は、創傷を閉鎖する方法を提供することである。この方法は、
（ａ）  接着剤の少なくとも１つの分離したスポットを備えた少なくとも２つの対向する側が少なくとも２つの創傷端縁に面しているように、本発明に係る創傷閉鎖材料を創傷に貼り付けるステップと、
（ｂ）  少なくとも２つの創傷端縁を、端縁間の創傷閉鎖材料とともに押圧するステップと、
（ｃ）  創傷端縁が創傷閉鎖材料に付着するように接着剤を硬化させるステップとを備える。
【００３７】
本発明の創傷閉鎖材料が接着剤のスポットを備えているので、創傷閉鎖材料上および／または創傷閉鎖材料内に組織細胞が成長するのに十分なスペースが接着剤のスポット間に存在する。これは、接着剤が創傷の表面全体の上に塗布される場合と比較して、創傷の治癒に対して有利な効果を有する。さらに、縫合糸などを用いた「古典的な」創傷閉鎖技術と比較して、本発明の創傷閉鎖材料は、新たな組織細胞のための足場の働きをする。本発明の創傷閉鎖材料は、新たな組織細胞のための人工的な細胞外基質の役割も果たし得る。
【００３８】
本発明のさらなる目的は、創傷治癒品質が改良された創傷閉鎖材料の生成方法を提供することである。この生成方法は、
（ａ）  連続気泡構造を有する生分解性材料からなるコアを設けるステップと、
（ｂ）  好ましくはスクリーン印刷によって多数の接着剤のスポットを生分解性材料からなるコアの少なくとも一方の側に施すステップとを備える。
【００３９】
この生成方法はさらに、接着剤のスポットを備えたコアの少なくとも一方の側に、除去可能な保護シート、好ましくは剥離可能ライナーを施すステップを備えていてもよい。
【００４０】
好ましくは、スポットは、ステップ（ｂ）においてスクリーン印刷技術によって施される。創傷閉鎖材料に接着剤のスポットを施すために、当該技術分野において公知の他の技術も用いられてもよい。
【００４１】
本発明の別の目的は、創傷を閉鎖するために本発明に係る創傷充填材料を用いる方法を提供することである。上述のように、本発明の創傷閉鎖材料は、創傷治癒品質の改良をもたらす。なぜなら、コア材料が新たな組織細胞のための足場および／または人工的な細胞外基質の働きをし得るためである。さらに、接着剤が分離したスポットとして設けられるので、接着材料によって妨げられることなくコア材料上および／またはコア材料内に組織細胞が成長するのに十分なスペースが接着剤の間に存在する。
【００４２】
好ましい実施の形態では、本発明の創傷閉鎖材料は、外科的切断面を閉鎖するために用いられる。「古典的な」創傷閉鎖技術と比較して、本発明の創傷閉鎖材料は、使いやすくかつ迅速な切断面の閉鎖方法を提供する。さらに、本発明の創傷閉鎖材料は、他の創傷閉鎖技術と比較して、創傷治癒特性の改良をもたらす。
【００４３】
本発明のさらなる利点および特徴について、実施例の以下の説明および図面で説明する。
【図面の簡単な説明】
【００４４】
【図１】本発明に係る創傷閉鎖材料の例示的な実施の形態を示す。
【図２】本発明に係る創傷閉鎖材料が設けられ得る異なる形態の３つの例示的な実施の形態を示す。
【発明を実施するための形態】
【００４５】
図１は、本発明の創傷閉鎖材料１の例示的な実施の形態を示す。創傷閉鎖材料１は、連続気泡構造を有する生分解性材料からなるコア２を備える。コア２は、長方形のシートとして示されている。コア２はまた、パッド、テープなどのような任意の好適な形態であってもよい、ということが理解される。コア２は好ましくは、開放孔構造を有する生分解性ポリウレタンフォームまたは生分解性不織フリース材料を含む。コア２の第１の側５は、多数の接着剤のスポット３を備えている。スポット３は、第１の側５の表面全体に分散した長方形のパターンとして示されている。スポット３はまた、点、円形、三角形などの任意の好適な幾何学的形態で設けられてもよい。スポット３はまた、別のパターンでまたはランダムに分散していてもよい。第１の側５に対向する第２の側６も、好ましくは接着剤のスポット３を備えている。このような場合、創傷端縁を閉鎖するために創傷閉鎖材料を用いることができる。スポット３を環境から保護し、したがって、たとえば湿気に起因する接着剤の時期尚早な硬化を妨げ、および／または、創傷閉鎖材料１が任意の物体に接着することから保護するために、剥離可能ライナー４が第１の側５に設けられている。
【００４６】
図２は、本発明の創傷閉鎖材料が設けられ得る３つのさらなる形態を例示的に示す。図１に示されるシートの形態に加えて、創傷被覆材料１のコア２は、長方形または円筒形のパッドとしても設けられてもよい。円筒形のパッドの場合、接着剤のスポット３は好ましくは側方表面上に設けられる。第３の代替例は、テープの形態で、好ましくはロール１０としてコア２を設けるというものである。この実施の形態では、コア２は、巻上げたときのコア２の貼り付きを防ぐために剥離可能ライナー４を備えている。テープは好ましくは、両方の側に接着剤のスポット３を備えている。
【００４７】
図３ａは、いわゆる接着分子１６、特にインテグリンによって細胞膜１５が細胞外基質１７に接続される損傷を受けていない状況を示す。図３ｂは、創傷閉鎖材料１を分子レベルで概略的に示す。接着分子１６、具体的にはインテグリンは、接着ポリマー鎖１８に接着する。
【図１】
2013518636.tif 000003
【図２】
2013518636.tif 000004
【図３ａ】
2013518636.tif 000005
【図３ｂ】
2013518636.tif 000006
【手続補正書】
【提出日】平成24年10月4日(2012.10.4)
【手続補正１】
【補正対象書類名】明細書
【補正対象項目名】００４４
【補正方法】変更
【補正の内容】
【００４４】
【図１】本発明に係る創傷閉鎖材料の例示的な実施の形態を示す。
【図２】本発明に係る創傷閉鎖材料が設けられ得る異なる形態の３つの例示的な実施の形態を示す。
【図３ａ】接着分子１６によって細胞膜１５が細胞外基質１７に接続される損傷を受けていない状況を示す。
【図３ｂ】創傷閉鎖材料１を分子レベルで概略的に示す。
【国際調査報告】
2013518636.tif 000007
2013518636.tif 000008
2013518636.tif 000009